(57)【要約】【課題】本発明は、放熱効果が優れたＬＥＤ照明灯具を提供することを目的とする。【解決手段】本発明に係るＬＥＤ照明灯具は、灯具本体と、前記灯具本体に設置されたＬＥＤモジュールと、放熱機構及び駆動モジュールと、を備え、前記放熱機構は、フィン片組を備えるＬＥＤ照明灯具であって、前記フィン片組は複数の放熱片によって構成され、前記フィン片組の中心に通孔が設けられ、前記駆動モジュールは、前記通孔を貫き、且つ前記ＬＥＤモジュールと電気的に接続して、前記フィン片組は、前記駆動モジュールを囲み、且つ互いに接触して、前記駆動モジュールから熱を吸収し、且つ放熱することを特徴とする。【選択図】図２
2013077564.tif 000002
【特許請求の範囲】
【請求項１】
灯具本体と、前記灯具本体に設置されたＬＥＤモジュールと、放熱機構及び駆動モジュールと、を備え、前記放熱機構は、フィン片組を備えるＬＥＤ照明灯具であって、前記フィン片組は複数の放熱片によって構成され、前記フィン片組の中心に通孔が設けられ、前記駆動モジュールは、前記通孔を貫き、且つ前記ＬＥＤモジュールと電気的に接続して、前記フィン片組は、前記駆動モジュールを囲み、且つ互いに接触して、前記駆動モジュールから熱を吸収し、且つ放熱することを特徴とするＬＥＤ照明灯具。
【請求項２】
前記フィン片組の複数の放熱片の間には、前記駆動モジュールと連通する複数の通気道が形成され、前記灯具本体には、前記駆動モジュールが延伸する方向に沿って、複数の第三開口が設けられ、前記第三開口と前記フィン片組の前記通気道とが連通することを特徴とする請求項１に記載のＬＥＤ照明灯具。
【請求項３】
前記ＬＥＤモジュールは、基板及び前記基板に設置された複数のＬＥＤを備え、前記放熱機構の前記フィン片組と前記基板とが接触することを特徴とする請求項１に記載のＬＥＤ照明灯具。
【請求項４】
前記放熱機構は、複数のヒートパイプを備え、前記複数のヒートパイプは、前記基板の外壁に設置された吸熱端と、前記フィン片組に差し込まれている放熱端と、を備えることを特徴とする請求項３に記載のＬＥＤ照明灯具。
【請求項５】
当該ＬＥＤ照明灯具は、ランプホルダーと、エンベロープと、を備え、前記灯具本体の頂部には、上に向けて延伸した連接部が設けられており、該連接部には、前記灯具本体内部と連通する第一開口が設けられ、前記灯具本体の底部には、第二開口が設けられ、前記ランプホルダーは、前記灯具本体の前記第一開口に固定され、前記エンベロープは、前記灯具本体の前記第二開口をカバーすることを特徴とする請求項１に記載のＬＥＤ照明灯具。
【請求項６】
前記ランプホルダーは、固定カバーと、回転部及び前記駆動モジュールと、を備え、前記回転部は、前記固定カバーの頂部に形成され、電気と接続されている別の装置と連接し、前記駆動モジュールの一端は、前記固定カバーに固定され、且つ前記回転部と電気的に接続し、別の一端は前記固定カバー２１から外に向けて延伸し、且つ前記灯具本体の前記第一開口から前記灯具本体に延伸して形成されることを特徴とする請求項５に記載のＬＥＤ照明灯具。
【請求項７】
前記エンベロープは、透光部及び前記透光部に設けた固定部と、を備え、前記固定部は、ネジによって、前記灯具本体の前記第二開口に固定されることを特徴とする請求項５に記載のＬＥＤ照明灯具。
【発明の詳細な説明】
【技術分野】
【０００１】
本発明は、ＬＥＤ照明灯具に関するものである。
【背景技術】
【０００２】
ＬＥＤは、省エネルギーで、環境に良く、且つ寿命が長いので、蛍光灯や、白熱灯などに替わって、現在広く使用されている。しかし、一般のＬＥＤ照明灯具は、複数のＬＥＤが同時に使用されるので、大量の熱量を放出する。従って、該熱量によって、灯具における駆動モジュールが破損し易いため、前記ＬＥＤ照明灯具の安定性とその使用寿命に影響を与える。
【発明の概要】
【発明が解決しようとする課題】
【０００３】
以上の問題点に鑑みて、本発明は、放熱効果が優れたＬＥＤ照明灯具を提供することを目的とする。
【課題を解決するための手段】
【０００４】
本発明は、灯具本体と、前記灯具本体に設置されたＬＥＤモジュールと、放熱機構及び駆動モジュールと、を備え、前記放熱機構は、フィン片組を備えるＬＥＤ照明灯具であって、前記フィン片組は複数の放熱片によって構成され、前記フィン片組の中心に通孔が設けられ、前記駆動モジュールは、前記通孔を貫き、且つ前記ＬＥＤモジュールと電気的に接続して、前記フィン片組は、前記駆動モジュールを囲み、且つ互いに接触して、前記駆動モジュールから熱を吸収し、且つ放熱するＬＥＤ照明灯具を提供する。
【発明の効果】
【０００５】
本発明に係るＬＥＤ照明灯具において、前記ＬＥＤ照明灯具の前記駆動モジュールは、前記鰭片組の前記通孔を貫き、前記ＬＥＤモジュールと電気的に接触する。この際、前記鰭片組は、前記駆動モジュールを囲み、且つ互いに接触して、前記駆動モジュールを起動させるので、前記駆動モジュールの熱量を効果的に吸収し、また、前記駆動モジュールの放熱効果も高い。
【図面の簡単な説明】
【０００６】
【図１】本発明に係るＬＥＤ照明灯具の立体図である。
【図２】図１に示したＬＥＤ照明灯具の分解図である。
【図３】図２に示したＬＥＤ照明灯具の別の視覚から見た分解図である。
【発明を実施するための形態】
【０００７】
以下、図面に基づいて、本発明に係るＬＥＤ照明灯具について詳細に説明する。
【０００８】
図１〜図３に示したように、本発明に係るＬＥＤ照明灯具１００は、灯具本体１０と、ランプホルダー２０と、エンベロープ３０と、灯具本体１０に設置されたＬＥＤモジュール４０及び放熱機構５０と、を備える。
【０００９】
灯具本体１０は、半球の中空ケースである。灯具本体１０の頂部には、上に向かって延伸する環状の連接部１１が設けられ、該連接部１１には、灯具本体１０の内部と連通する第一開口１２が設けられている。連接部１１の内壁には、第一開口１２の中心に向けて、複数の第一ネジ部１３が設けられている。灯具本体１０の底部には、第二開口１４が設けられ、灯具本体１０の第二開口１４に近接する内壁には、複数の第二ネジ部１５が設けられている。また、灯具本体１０の外壁には、複数の細長い第三開口１６が設けられ、該複数の第三開口１６は互いに平行に、且つ等間隔に設置され、灯具本体１０の第一開口１２から第二開口１４に向けて延伸して形成されている。
【００１０】
ランプホルダー２０は、灯具本体１０上に設置され、固定カバー２１と、回転部２２及び駆動モジュール２３と、を備える。回転部２２は、固定カバー２１の頂部に形成され、且つその外壁には螺旋部２１２が設けられており、該螺旋部２１２は電気と接続されている別の装置（図示せず）と連接される。また、駆動モジュール２３の一端は、固定カバー２１に固定され、且つ回転部２２と電気的に接続され、別の一端は固定カバー２１から外（図１を参照した場合、下方）に向けて延伸して形成されている。固定カバー２１の駆動モジュール２３と接続する下端の内壁には、複数の第三ネジ部２１１が設けられ、灯具本体１０の第一ネジ部１３と、固定カバー２１の第三ネジ部２１１とが、ネジ（図示せず）によって固定される。ランプホルダー２０は、灯具本体１０の第一開口１２に固定され、この際、駆動モジュール２３は、灯具本体１０の第一開口１２から、灯具本体１０中に延伸して、ＬＥＤモジュール４０と電気的に接続される。
【００１１】
エンベロープ３０は、ガラス、或いは樹脂材料によって形成され、灯具本体１０の第二開口１４をカバーする。エンベロープ３０は、透光部３１と、該透光部３１を取り囲み、且つ一体成型して設けられた固定部３２と、を備える。また、固定部３２には、灯具本体１０の第二ネジ部１５と対応する部分に、複数の第一固定孔３２１が設けられている。
【００１２】
ＬＥＤモジュール４０及び放熱機構５０は、灯具本体１０と、ランプホルダー２０及びエンベロープ３０とが共同で形成した空間に設置される。ＬＥＤモジュール４０は、基板４１及び複数のＬＥＤ４２を備える。該複数のＬＥＤ４２は、基板４１のエンベロープ３０と相対する外壁に貼設され、且つ基板４１と電気的に接続し、ＬＥＤ４２から出射された光線は、エンベロープ３０によって拡散する。基板４１の周縁には、灯具本体１０の第二ネジ部１５と係合する複数の第二固定孔４１１が設けられ、ネジは、エンベロープ３０の第一固定孔３２１と、基板４１の第二固定孔４１１とを貫いて、灯具本体１０の第二ネジ部１５に固定され、この際、エンベロープ３０及び基板４１は、共に、灯具本体１０の第二開口１４に固定される。
【００１３】
放熱機構５０は、フィン片の組５１及び複数のヒートパイプ５２を備える。フィン片組５１は、複数の放熱片５１０が重なって形成されたものであり、上記複数のヒートパイプ５２は、吸熱端（図示せず）及び放熱端（図示せず）を備え、該吸熱端は基板４１の外壁に設置され、該放熱端はフィン片組５１に差し込まれている。フィン片組５１の中央には、通孔５１１が設けられ、ランプホルダー２０の駆動モジュール２３は、該通孔５１１を貫いて基板４１と電気的に接続する。この際、フィン片組５１は、駆動モジュール２３を囲み、且つ互いに接触する。フィン片組５１の上記複数の放熱片５１０の間には、駆動モジュール２３と連通する平行な複数の通気道（図示せず）が形成されている。また、灯具本体１０には、駆動モジュール２３が延伸する方向に沿って、第三開口１６が設けられているため、該第三開口１６とフィン片組５１の通気道とが連通する。フィン片組５１は、駆動モジュール２３から熱を吸収し、且つ灯具本体１０上の第三開口１６によって、該吸収した熱をＬＥＤ照明灯具１００の外部に放熱する。本発明の実施形態において、フィン片組５１は、二つの構造によって構成され、第一部分５１２と、該第一部分５１２より直径が小さい第二部分５１３と、からなる。
【００１４】
ＬＥＤ照明灯具１００を使用する際、駆動モジュール２３は、フィン片組５１の中心に形成された通孔５１１を貫いて、基板４１と電気的に接続する。この際、フィン片組５１は、駆動モジュール２３を囲み、且つ互いに接触するので、駆動モジュール２３から熱を効果的に吸収することができる。また、灯具本体１０には、複数の第三開口１６が形成されているため、フィン片組５１は、駆動モジュール２３から熱を吸収した後、灯具本体１０の第三開口１６によって、該熱をＬＥＤ照明灯具１００の外部に放出して、駆動モジュール２３が高温で破損することを防止し、且つ駆動モジュール２３に対して、導熱及び温度を下げるという優れた効果をもたらす。
【００１５】
本発明のＬＥＤ照明灯具１００の駆動モジュール２３は、フィン片組５１の通孔５１１を貫き、ＬＥＤモジュール４０と電気的に接触する。この際、フィン片組５１は、駆動モジュール２３を囲み、且つ互いに接触して、駆動モジュール２３を動作させるので、駆動モジュール２３の熱を効果的に吸収し、また、駆動モジュール２３の放熱効果も高い。
【００１６】
以上、本発明の好適な実施形態について詳細に説明したが、本発明はこれらの実施形態に限定されるものではなく、本発明の範囲内で種々の変形又は修正が可能であり、そのような変形又は修正も又、本発明の特許請求の範囲内に含まれるものであることは、言うまでもない。
【符号の説明】
【００１７】
１００    ＬＥＤ照明灯具
１０      灯具本体
２０      ランプホルダー
３０      エンベロープ
４０      ＬＥＤモジュール
５０      放熱機構
１１      連接部
１２      第一開口
１３      第一ネジ部
１４      第二開口
１５      第二ネジ部
１６      第三開口
２１      固定カバー
２２      回転部
２３      駆動モジュール
２１１    第三ネジ部
２１２    螺旋部
３１      透光部
３２      固定部
３２１    第一固定孔
４１      基板
４２      ＬＥＤ
４１１    第二固定孔
５１      フィン片組
５１０    放熱片
５２      ヒートパイプ
５１１    通孔
５１２    第一部分
５１３    第二部分
【図１】
2013077564.tif 000003
【図２】
2013077564.tif 000004
【図３】
2013077564.tif 000005